(57)【要約】【課題】コンテンツ再生に対する周囲の反応の判断材料となる情報を取得する。【解決手段】コンテンツを再生する投影系21〜25及び音声系36，37と、再生コンテンツを視聴する人物の有無を検出する人感センサPEと、コンテンツ再生時間と人感センサPEで検出した人物の有無を示す時間情報とを関連付けてログ記憶部20Ａに記憶させるＣＰＵ32とを備える。【選択図】図３
2016200779.tif 000002
【特許請求の範囲】
【請求項１】
所定の範囲における人物の進入に基づいてコンテンツを開始する再生手段と、
上記再生手段によって開始されたコンテンツを視聴する人物の有無を検出する検出手段と、
上記再生手段によるコンテンツ再生時間と上記検出手段で検出した人物の有無を示す時間との割合に基づいてコンテンツを評価する評価手段と
を備えることを特徴とするコンテンツ再生装置。
【請求項２】
上記再生手段によるコンテンツ再生時間と上記検出手段で検出した人物の有無を示す時間とを関連付けて記録する記録手段をさらに備え、
上記評価手段は、上記記録されたコンテンツ再生時間と人物の有無を示す時間に基づいてコンテンツを評価する
ことを特徴とする請求項１記載のコンテンツ再生装置。
【請求項３】
上記検出手段により人物有りと検出した時点で上記再生手段によりコンテンツをその先頭から再生させる第１の再生制御手段をさらに備えることを特徴とする請求項１または２記載のコンテンツ再生装置。
【請求項４】
上記再生手段は、複数のコンテンツを連続して再生し、
上記複数のコンテンツから１つを選択するための操作手段と、
上記操作手段での操作結果に基づき、選択されたコンテンツを上記再生手段により再生させる第２の再生制御手段とをさらに備え、
上記評価手段は、上記複数のコンテンツ毎の再生時間と上記操作手段での操作結果とに基づいて前記コンテンツを評価する
ことを特徴とする請求項１または２記載のコンテンツ再生装置。
【請求項５】
上記検出手段で人物有りと検出した場合に当該人物の外見から属性情報を取得する属性取得手段をさらに備え、
上記評価手段は、上記属性取得手段で所得した属性情報を合わせてコンテンツを評価する
ことを特徴とする請求項１乃至４いずれか記載のコンテンツ再生装置。
【請求項６】
所定の範囲における人物の進入に基づいてコンテンツを開始する再生部を備えた再生装置と、上記再生装置を統括制御するサーバ装置とを含むコンテンツ再生システムであって、
上記再生部によって開始されたコンテンツを視聴する人物の有無を検出する検出手段と、
上記再生部によるコンテンツ再生時間と上記検出手段で検出した人物の有無を示す時間との割合に基づいてコンテンツを評価する評価手段と
を備えることを特徴とするコンテンツ再生システム。
【請求項７】
所定の範囲における人物の進入に基づいてコンテンツを開始する再生部を備えた装置によるコンテンツ再生方法であって、
上記再生部によって開始されたコンテンツを視聴する人物の有無を検出する検出工程と、
上記再生部によるコンテンツ再生時間と上記検出工程で検出した人物の有無を示す時間との割合に基づいてコンテンツを評価する評価工程と
を有することを特徴とするコンテンツ再生方法。
【請求項８】
所定の範囲における人物の進入に基づいてコンテンツを開始する再生部を備えた装置が内蔵するコンピュータが実行するプログラムであって、上記コンピュータを、
上記再生部によって開始されたコンテンツを視聴する人物の有無を検出する検出手段、及び
上記再生部によるコンテンツ再生時間と上記検出手段で検出した人物の有無を示す時間との割合に基づいてコンテンツを評価する評価手段
として機能させることを特徴とするプログラム。
【発明の詳細な説明】
【技術分野】
【０００１】
本発明は、コンテンツ再生装置、コンテンツ再生システム、コンテンツ再生方法及びプログラムに関する。
【背景技術】
【０００２】
閲覧者に対する印象を高めるべく、コンテンツの輪郭の形状に形成されたスクリーンに映像コンテンツを投影するようにした映像出力装置が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めてこの種の装置では、予め設定した内容にしたがって一方的にコンテンツを再生して出力するのみであり、例えばその再生に対して実際にコンテンツの閲覧者がどの程度いたのか、など、広告装置としての効果を判断する材料を得ることができない。
【０００５】
本発明は上記のような実情に鑑みてなされたもので、その目的とするところは、コンテンツ再生に対する周囲の反応の判断材料となる情報を取得することが可能なコンテンツ再生装置、コンテンツ再生システム、コンテンツ再生方法及びプログラムを提供することにある。
【課題を解決するための手段】
【０００６】
本発明の一態様は、所定の範囲における人物の進入に基づいてコンテンツを開始する再生手段と、上記再生手段によって開始されたコンテンツを視聴する人物の有無を検出する検出手段と、上記再生手段によるコンテンツ再生時間と上記検出手段で検出した人物の有無を示す時間との割合に基づいてコンテンツを評価する評価手段とを備えることを特徴とする。
【発明の効果】
【０００７】
本発明によれば、コンテンツ再生に対する周囲の反応の判断材料となる情報を取得することが可能となる。
【図面の簡単な説明】
【０００８】
【図１】本発明の一実施形態に係るサイネージシステム全体の接続構成を示す図。
【図２】同実施形態に係るサイネージ装置の外観構成を示す斜視図。
【図３】同実施形態に係るサイネージ装置の電子回路の機能構成を示すブロック図。
【図４】同実施形態に係るコンテンツメモリに記憶されるコンテンツデータのデータ名と再生時間とを例示する図。
【図５】同実施形態に係るコンテンツデータの再生順序を例示する図。
【図６】同実施形態に係るサイネージ装置によるコンテンツ再生の処理内容を示すフローチャート。
【図７】同実施形態に係る図６のコンテンツ再生制御ステップのサブルーチン内容を示すフローチャート。
【図８】同実施形態に係る人感センサとコンテンツ再生動作の関係を示すタイミングチャート。
【図９】同実施形態に係るログ記憶部で記憶したコンテンツの再生ログの例を示す図。
【発明を実施するための形態】
【０００９】
以下、本発明を店舗で使用されるサイネージシステムに適用した場合の一実施形態について、図面を参照して説明する。
【００１０】
図１は、同システム全体の接続構成を示す図である。店舗内の売場に設置された複数のサイネージ装置１０，１０，‥‥が、無線ＬＡＮを含むネットワークＮＷを介して、コンテンツ配信サーバＳＶと接続される。
【００１１】
コンテンツ配信サーバＳＶは、各サイネージ装置１０，１０，‥‥で再生するための複数のコンテンツデータを記憶するデータベース（ＤＢ）を備える。
【００１２】
図２は、上記サイネージ装置１０の外観構成を示す斜視図である。サイネージ装置１０はプロジェクタ技術を用いた電子マネキンであり、装置筐体１０Ａの上面前端側に、交換可能なサイネージボードＳＢが立設される。このサイネージボードＳＢは、サイネージ装置１０の本来は矩形の投影可能領域内に収まるように設置された、任意形状を有する半透過板状の構成を有する。
【００１３】
サイネージボードＳＢは、装置筐体１０Ａの上面に設けられた、図示しないリアプロジェクション方式の投影レンズから出射された光像が背面側から投影されることで、例えば図示するような画像を表示する。
【００１４】
このサイネージボードＳＢの下部には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイにより当該操作位置が検知可能となっている。
【００１５】
さらに装置筐体１０Ａの前面には、このサイネージ装置１０の前面側の環境を撮影するための広角光学系の撮像部ＩＭと、このサイネージ装置１０の前面側の所定の範囲の人物の有無を検出するための人感センサＰＥとを備える。
【００１６】
次に図３によりサイネージ装置１０の主として電子回路の機能構成を説明する。コンテンツメモリ２０は、上記コンテンツ配信サーバＳＶから受信した複数のコンテンツデータを記憶すると共に、ログ記憶部２０Ａに後述するようにログデータを記憶する。
【００１７】
図４は、コンテンツメモリ２０が記憶する複数のコンテンツデータとその再生時間の例を示す。ここでコンテンツ名「１」「１−１」「１−２」「１−３」「１−４」の５つのコンテンツデータはそれぞれ図示するような再生時間であるものとする。
【００１８】
なお、コンテンツ名「１」のコンテンツデータは、一連のコンテンツデータの先頭に位置する、商品等を総合的に紹介するコンテンツデータであるものとする。
【００１９】
一方でコンテンツ名「１−１」「１−２」「１−３」「１−４」の各コンテンツデータは、それぞれ特定の商品を詳細に紹介するコンテンツデータであるものとする。
【００２０】
図５は、コンテンツメモリ２０に記憶されるコンテンツデータの再生順序を例示する図である。同図中に破線の矢印で示す如く、特に上記操作ボタンＢ１〜Ｂ４の操作が行なわれない状態では、コンテンツ名「１」「１−１」「１−２」「１−３」「１−４」の５つのコンテンツデータをループ状に再生するものとして、循環的に再生する。
【００２１】
一方で、図中に実線の矢印で示す如く、コンテンツ名「１」のコンテンツデータを再生している状態から上記操作ボタンＢ１〜Ｂ４が操作された場合、そのボタン操作に応じてコンテンツ名「１−１」「１−２」「１−３」「１−４」のコンテンツデータを再生するように直接遷移するものとする。
【００２２】
上記コンテンツメモリ２０が記憶するコンテンツデータはいずれも、動画像データと音データから構成される。コンテンツデータ中の動画像データは、後述するＣＰＵ３２により読出され、システムバスＢＳを介して投影画像駆動部２１に送られる。
【００２３】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２４】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２５】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。
【００２６】
光源部２３が有するＬＥＤは、広義でのＬＥＤとして、ＬＤ（半導体レーザ）や有機ＥＬ素子を含むものとしても良い。この光源部２３からの原色光が、ミラー２４で反射して上記マイクロミラー素子２２に照射される。
【００２７】
そして、マイクロミラー素子２２での反射光で光像が形成され、形成された光像が投影レンズ部２５を介して上記サイネージボードＳＢの背面に投射される。
【００２８】
上記撮像部ＩＭは、サイネージ装置１０の正面方向を向いた広角系の撮影レンズ部２７、及びこの撮影レンズ部２７の焦点位置に配設された固体撮像素子であるＣＭＯＳイメージセンサ２８を含む。
【００２９】
ＣＭＯＳイメージセンサ２８で得られる画像信号は、Ａ／Ｄ変換器２９でデジタル化された後、撮影画像処理部３０に送られる。
【００３０】
この撮影画像処理部３０は、上記ＣＭＯＳイメージセンサ２８を走査駆動して撮影動作を実行させ、撮影により得た画像データをデータファイル化して、後述するＣＰＵ３２に送出する。
【００３１】
さらに上記撮影画像処理部３０は、撮影により得た画像データ中から輪郭抽出処理及び顔認識処理により人物部分を認識して抽出した上で、当該顔部分の構成要素である目鼻等の配置構成により属性情報としての性別、年齢層を判別する。これらの顔認識を含む判別処理等の結果は以下のＣＰＵ３２へ送られる。  
また上記人感センサＰＥを構成する焦電センサでの検出信号もＣＰＵ３２へ送られる。
【００３２】
上記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００３３】
ＣＰＵ３２は、上記プログラムメモリ３４に記憶されている動作プログラムや定型データ等を読出し、メインメモリ３３に展開して記憶させた上で当該プログラムを実行することにより、このサイネージ装置１０を統括して制御する。
【００３４】
上記ＣＰＵ３２は、操作部３５からの操作信号に応じて各種投影動作を実行する。この操作部３５は、サイネージ装置１０の本体に備える、電源キーを含むいくつかの操作キーのキー操作信号、または上記サイネージボードＳＢの一部に仮想的に投影する上記操作ボタンＢ１〜Ｂ４への操作を検出する、上記した赤外線センサアレイからの検出信号を受付け、受付けた操作に応じた信号を上記ＣＰＵ３２へ送出する。
【００３５】
上記ＣＰＵ３２はさらに、上記システムバスＢＳを介して音処理部３６、無線ＬＡＮインタフェース（Ｉ／Ｆ）３８と接続される。  
音処理部３６は、ＰＣＭ音源等の音源回路を備え、投影動作時に上記コンテンツメモリ２０から読出されるコンテンツデータ中の音データをアナログ化し、スピーカ部３７を駆動して放音させ、あるいは必要によりビープ音等を発生させる。
【００３６】
無線ＬＡＮインタフェース３８は、無線ＬＡＮアンテナ３９を介して図示しない最寄りの無線ＬＡＮルータと接続し、データの送受を行なうもので、上記図１のコンテンツ配信サーバＳＶと交信する。
【００３７】
次に上記実施形態の動作について説明する。  
サイネージ装置１０において、ＣＰＵ３２がプログラムメモリ３４から読出し、メインメモリ３３に展開した上で実行する動作プログラムや定型データ等は、サイネージ装置１０が製品として工場から出荷された当時に予めプログラムメモリ３４に記憶されていたもののみならず、サイネージ装置１０が店舗等に設置された時点でも、ネットワークＮＷを介して適宜バージョンアップ等の処理により更新記憶された内容を含む。
【００３８】
図６は、店舗に設置された各サイネージ装置１０，１０，‥‥がそれぞれ実行する、コンテンツデータの再生出力に関する処理内容を示すフローチャートである。
【００３９】
その処理当初にＣＰＵ３２は、初期設定としてそれぞれメインメモリ３３で保持する「ヒューマン」フラグを“１”、タイマの計時値をリセット、「ミュート」フラグを“０”、コンテンツナンバー（Ｎｏ．）を「１」とするようにセットする（ステップＳ１０１）。
【００４０】
ここで上記「ヒューマン」フラグは、人感センサＰＥの検出出力があり、当該サイネージ装置１０の前方に来店客がいると判断される場合に“１”、いないと判断される場合に“０”とするフラグであり、装置の処理当初には上述したようにデフォルト値“１”をセットする。
【００４１】
上記タイマは、人感センサＰＥからの検出出力がなく、当該サイネージ装置１０の前方に来店客がいなくなった状態を計時する。
【００４２】
上記「ミュート」フラグは、当該サイネージ装置１０の前方に来店客がおらず、音声コンテンツの出力を停止する場合に“１”、音声コンテンツを動画像のコンテンツデータと共に再生する場合に“０”とするフラグであり、装置の処理当初には上述したようにデフォルト値“１”をセットする。
【００４３】
コンテンツナンバーは、コンテンツを選択済で当該コンテンツを再生中の状態では「０」とする一方で、上記図４及び図５に示した如くコンテンツ名「１」「１−１」「１−２」「１−３」「１−４」のいずれかを選択して遷移する状態ではそのコンテンツ名をそのままコンテンツナンバーとして保持するものとする。この処理当初には、商品等を総合的に紹介するコンテンツデータである「１」を先頭のコンテンツであるデフォルト値としてセットする。
【００４４】
上記初期設定の終了後、ＣＰＵ３２はその時点での設定状態にしたがってコンテンツの再生制御を実行する（ステップＳ１０２）。
【００４５】
図７は、ＣＰＵ３２によるコンテンツ再生制御のサブルーチンの処理内容を示すフローチャートであり、その当初には、コンテンツナンバーが「０」ではないか否かにより、コンテンツデータの再生状態をあらたに設定する必要があるかどうかを判断する（ステップＳ３０１）。
【００４６】
ここでコンテンツナンバーが「０」であり、コンテンツデータの再生中であると判断した場合には（ステップＳ３０１のＮｏ）、その時点でのコンテンツデータの再生を継続するべく、以上でこの図７のサブルーチンを終了して上記図６のメインルーチンに復帰する。
【００４７】
また上記ステップＳ３０１において、コンテンツナンバーが「０」ではなく、あらたにコンテンツデータの再生の設定を行なう必要があると判断した場合（ステップＳ３０１のＹｅｓ）、ＣＰＵ３２はログ記憶部２０Ａを検索し、最後に再生を設定したコンテンツデータの再生終了に関する更新記憶を行なう（ステップＳ３０２）。
【００４８】
その後、ＣＰＵ３２はあらたに選択されたコンテンツ名のコンテンツデータをコンテンツメモリ２０から読出して再生するべく、コンテンツ再生用のプログラム「メディアプレーヤ」に必要なデータをセットして再生を開始させる（ステップＳ３０３）。
【００４９】
さらにＣＰＵ３２は、再生を開始したコンテンツデータのコンテンツ名を、再生を開始したステータス情報と共に、内部クロックから得る時刻情報と関連付けてログ記憶部２０Ａに追記した上で（ステップＳ３０４）、あらたにコンテンツデータの再生設定を行なう必要がないものとしてあらたにコンテンツナンバーに「０」をセットし（ステップＳ３０５）、以上でこの図７のサブルーチンを終了して、上記図６のメインルーチンに戻る。
【００５０】
図６のメインルーチンにおいて、上記コンテンツ再生制御の処理後にＣＰＵ３２は、操作部３５により上記操作ボタンＢ１〜Ｂ４のいずれかが操作されたか否かを判断する（ステップＳ１０３）。
【００５１】
ここで操作ボタンＢ１〜Ｂ４のいずれかが操作されたと判断した場合（ステップＳ１０３のＹｅｓ）、対応するコンテンツ名「１−１」「１−２」「１−３」「１−４」のいずれかのコンテンツが直接来店客により選択されたことになるので、ＣＰＵ３２は選択されたコンテンツデータをコンテンツナンバーにセットする（ステップＳ１０４）。
【００５２】
その後、タイマの計時値をクリアした上で（ステップＳ１０５）、上記ステップＳ１０２のコンテンツ再生制御のサブルーチンを実行する。
【００５３】
このサブルーチンにおいて、ＣＰＵ３２はまずコンテンツナンバーが「０」ではないと判断し（ステップＳ３０１のＹｅｓ）、それまで再生していたコンテンツデータの再生終了に関する更新記憶を行なう（ステップＳ３０２）。
【００５４】
次いでＣＰＵ３２は、来店客のボタン操作に応じたコンテンツ名のコンテンツデータを再生するべく、コンテンツ再生用のプログラム「メディアプレーヤ」に必要なデータをセットして再生を開始させる（ステップＳ３０３）。
【００５５】
さらにＣＰＵ３２は、再生を開始したコンテンツデータのコンテンツ名を、再生を開始したステータス情報と共に、内部クロックから得る時刻情報と関連付けてログ記憶部２０Ａに追記した上で（ステップＳ３０４）、選択されたコンテンツデータの再生中であることを示すようにコンテンツナンバーに「０」をセットし（ステップＳ３０５）、以上でこのサブルーチンを終了して、上記図６のメインルーチンに戻る。
【００５６】
また上記ステップＳ１０３において、上記操作ボタンＢ１〜Ｂ４のいずれかも操作されていないと判断した場合（ステップＳ１０３のＮｏ）、ＣＰＵ３２は次に人感センサＰＥの検出出力により、サイネージ装置１０の前方に来店客が存在するか否かを判断する（ステップＳ１０６）。
【００５７】
ここで人感センサＰＥの検出出力からサイネージ装置１０の前方に来店客が存在すると判断した場合（ステップＳ１０６のＹＥＳ）、撮像部ＩＭによりサイネージ装置１０の前方の画像を撮影させ、得られた画像に対する輪郭抽出処理、顔認識処理を撮影画像処理部３０で行なわせて、サイネージ装置１０の前方、最も近くにいる人物部分を認識して抽出した上で、当該顔部分の構成要素である目鼻等の配置構成により属性情報としての性別、年齢層を取得させる（ステップＳ１０７）。
【００５８】
この属性情報は、直後に実行する上記ステップＳ１０２のコンテンツ再生制御の処理時に、上記ステップＳ３０４のログ記憶処理においてＣＰＵ３２によりコンテンツメモリ２０のログ記憶部２０Ａに併せて記憶されるものとする。
【００５９】
その後ＣＰＵ３２は、その時点で「ミュート」フラグが“１”であるか否か、すなわち直前までサイネージ装置１０前に来店客が一定時間以上存在せず、音声コンテンツの再生を停止していたか否かを判断する（ステップＳ１０８）。
【００６０】
ここで「ミュート」フラグが“１”であり、直前までサイネージ装置１０前には来店客が一定時間以上存在しなかったと判断した場合（ステップＳ１０８のＹｅｓ）、あらたにサイネージ装置１０の前面側の所定の範囲に進入した来店客に対して先頭のコンテンツ名「１」のコンテンツデータから再生するべく、コンテンツナンバーに「１」をセットする（ステップＳ１０９）。
【００６１】
併せてＣＰＵ３２は、「ヒューマン」フラグを“１”とし（ステップＳ１１０）、タイマの計時値をクリアした後（ステップＳ１１１）、あらためてコンテンツデータを再生するために上記ステップＳ１０２からの処理に戻る。
【００６２】
また上記ステップＳ１０６において、人感センサＰＥの検出出力がなく、サイネージ装置１０の前方には来店客が存在しないと判断した場合（ステップＳ１０６のＮｏ）、ＣＰＵ３２内部のタイマの計時値を更新した上で（ステップＳ１１２）、その更新したタイマの計時値が一定時間、例えば３分を超えたか否かにより、サイネージ装置１０の前が無人の状態が一定時間継続したか否かを判断する（ステップＳ１１３）。
【００６３】
ここでタイマの計時値がまだ３分以下であり、サイネージ装置１０の前が無人の状態が一定時間は継続していないと判断した場合（ステップＳ１１３のＮｏ）、ＣＰＵ３２はその状態を維持するべく上記ステップＳ１０２からの処理に戻る。
【００６４】
また上記ステップＳ１１３において、更新したタイマの計時値が一定時間、例えば３分を超え、サイネージ装置１０の前が無人の状態が一定時間継続したと判断した場合（ステップＳ１１３のＹｅｓ）、ＣＰＵ３２は「ミュート」フラグに“１”をセットした上で（ステップＳ１１４）、「ヒューマン」フラグが“１”であるか否かを判断する（ステップＳ１１５）。
【００６５】
ここで「ヒューマン」フラグが“１”ではなく“０”であると判断した場合（ステップＳ１１５のＮｏ）、既に音声コンテンツの停止状態が設定されている状態であるとして、上記ステップＳ１０２からの処理に戻る。
【００６６】
また上記ステップＳ１１５において、「ヒューマン」フラグが“１”であると判断した場合（ステップＳ１１５のＹｅｓ）、あらためて音声コンテンツの停止状態を設定するべく「ヒューマン」フラグに“０”をセットする（ステップＳ１１６）。
【００６７】
さらにＣＰＵ３２は、サイネージ装置１０から来店客がいなくなったことをコンテンツメモリ２０のログ記憶部２０Ａに記憶させた上で（ステップＳ１１７）、上記「ミュート」フラグに応じて音処理部３６による音声コンテンツの出力を停止させて（ステップＳ１１８）、上記ステップＳ１０２からの処理に戻る。
【００６８】
また上記ステップＳ１０８において、「ミュート」フラグが“１”ではなく“０”であり、音声コンテンツの出力を停止していない状態で、人感センサＰＥの検出出力からサイネージ装置１０前に来店客が存在していると判断した場合（ステップＳ１０８のＮｏ）、ＣＰＵ３２は上記ステップＳ１１３からの処理に進み、タイマの計時値が一定時間、例えば３分を超えていたか否かにより、サイネージ装置１０の前が無人の状態が一定時間継続していたか否かを判断する。
【００６９】
この場合、「ミュート」フラグが“０”であり、タイマの計時値は３分以下の状態であるため、サイネージ装置１０の前が無人の状態が一定時間は継続していないと判断し（ステップＳ１１３のＮｏ）、ＣＰＵ３２はその状態を維持するべく上記ステップＳ１０２からの処理に戻る。
【００７０】
こうして操作ボタンＢ１〜Ｂ４への来店客の操作と人感センサＰＥの検出出力とに応じてコンテンツの再生制御を行ないながら、処理を続行する。
【００７１】
図８は、人感センサＰＥの出力とＣＰＵ３２の動作プログラムによるソフトウェア（ＳＷ）判定出力、及びコンテンツ再生の関係を例示する図である。
【００７２】
図８（Ａ）では、（Ａ−１）に示すようにタイミングｔ１１からタイミングｔ１２に至る間、人感センサＰＥの出力が適宜検出されており、タイミングｔ１２から人感センサＰＥの出力がないままに３分間が経過するｔ１３に至るまで、（Ａ−２）に示すようにＣＰＵ３２はサイネージ装置１０の前に来店客が存在するものと判定して、（Ａ−３）に示すように動画像と音声による通常のコンテンツ再生を行なう。
【００７３】
そしてタイミングｔ１３において来店客の存在がない状態が一定時間、例えば３分間継続したと判断してから、次に人感センサＰＥの検出出力が得られるタイミングｔ１４までの間、ＣＰＵ３２は上記ミュートフラグを“１”として（Ａ−３）に示すように音声コンテンツを停止させ、動画像のみのコンテンツ再生を行なう。
【００７４】
その後、人感センサＰＥの検出出力が得られるタイミングｔ１４において、ＣＰＵ３２はあらたに先頭のコンテンツ「１」から通常のコンテンツ再生を実行させる。
【００７５】
この通常のコンテンツ再生状態は、タイミングｔ１５で人感センサＰＥの検出出力が得られたのを最後に、さらに来店客の存在がないと一定時間、例えば３分間継続するタイミングｔ１６となるまで維持され、その後に再び上記ミュートフラグを“１”として（Ａ−３）に示すように音声コンテンツを停止させ、動画像のみのコンテンツ再生を行なう。
【００７６】
図８（Ｂ）では、（Ｂ−１）に示すようにタイミングｔ２１とタイミングｔ２２とで人感センサＰＥの出力が検出されており、タイミングｔ２２から人感センサＰＥの出力がないままに３分間が経過するｔ２３に至るまで、（Ｂ−２）に示すようにＣＰＵ３２はサイネージ装置１０の前に来店客が存在するものと判定して、（Ｂ−３）に示すように動画像と音声による通常のコンテンツ再生を行なう。
【００７７】
そしてタイミングｔ２３において来店客の存在がない状態が一定時間、例えば３分間継続したと判断してから、次に人感センサＰＥの検出出力が得られるタイミングｔ２４までの間、ＣＰＵ３２は上記ミュートフラグを“１”として（Ｂ−３）に示すように音声コンテンツを停止させ、動画像のみのコンテンツ再生を行なう。
【００７８】
その後、人感センサＰＥの検出出力が得られるタイミングｔ２４において、ＣＰＵ３２はあらたに先頭のコンテンツ「１」から通常のコンテンツ再生を実行させる。
【００７９】
この通常のコンテンツ再生状態は、タイミングｔ２５で人感センサＰＥの検出出力が得られたのを最後に、さらに来店客の存在がないと一定時間、例えば３分間継続するタイミングｔ２６となるまで維持され、その後に再び上記ミュートフラグを“１”として（Ｂ−３）に示すように音声コンテンツを停止させ、動画像のみのコンテンツ再生を行なう。
【００８０】
図９は、上述したようにコンテンツメモリ２０のログ記憶部２０Ａに記憶されるコンテンツの再生ログのデータサンプルを示す。本データでは、「Ｄａｔｅ（日付）」「Ｔｉｍｅ（時刻）」「Ｓｔａｔｕｓ（検出状態）」「人物属性」「（コンテンツ）ナンバー」及び「コメント」の項目を一組としてログを形成している。併せて本図では、説明のための「Ｃｏｍｍｅｎｔ（コメント）」及び「解説」の項目も付して理解の一助となるようにしている。
図９の例では、ＣＰＵ３２は年齢と性別供にバランスよく視聴されていることから、万人を対象とすることが可能なコンテンツであるとの評価を行なう。なお、「人物属性」に記憶されている情報が、例えば３０代男性が他の属性と比較して多く記憶されていると判断した場合は、ＣＰＵ３２はコンテンツが３０代男性向けであると評価するなど、ログ記憶部２０Ａに記憶されている「属性情報」に基づいてコンテンツの評価を行なう。
【００８１】
なお本図では、人感センサＰＥの検出出力が途絶えてから、来店客の存在がないと判断するための一定時間を、上記図６乃至図８で説明した３分ではなく、より大幅に短い値、例えば１０［秒］程度に設定した場合のデータサンプルについて示す。
【００８２】
例えばタイミングｔ３１（２０１４−１０−２８／０９：３３：３６）に来店客の存在を検出して通常コンテンツの再生を開始してから、タイミングｔ３２（２０１４−１０−２８／０９：３４：４３）に来店客が離脱したと判断するまでの１分０７秒間は通常のコンテンツ再生を行なうが、その後、タイミングｔ３３（２０１４−１０−２８／０９：３５：４７）に再度来店客の存在を検出するまでの１分０４秒間は、音声コンテンツを停止して動画像コンテンツのみの再生を行なう。
【００８３】
したがって、このタイミングｔ１１〜ｔ１３においてコンテンツの再生時間は２分１１秒間であり、そのうちで来店客が存在するものとして動画像と音声両方による通常のコンテンツ再生時間は１分０７秒間となる。
【００８４】
以下、同様のパターンで通常のコンテンツ再生と、音声コンテンツを停止しての動画像コンテンツのみの再生とを繰返し実行する。
【００８５】
その結果、ＣＰＵ３２は、この図９で示す再生ログのデータサンプルの時間帯全体では、コンテンツの総再生時間が２８分４４秒間、そのうち来店客が存在するものとして動画像と音声両方による通常のコンテンツ再生時間が９分１４秒間となり、この通常のコンテンツ再生時間のうち３２．１％が、来店客が存在したと考えられる有効視聴時間となり、このコンテンツの評価は３２．１％が有効であったと評価する。このようにコンテンツの有効視聴時間の割合によってコンテンツを評価することで、再生時間の異なるコンテンツでも相対的な評価を行なうことができる。
【００８６】
こうしてコンテンツメモリ２０のログ記憶部２０Ａに記憶されたログデータは、例えば一定時間、例えば「１時間」毎に各サイネージ装置１０，１０，‥‥からコンテンツ配信サーバＳＶにアップロードされ、コンテンツ配信サーバＳＶにおいて各サイネージ装置１０，１０，‥‥に必要な集計処理を実行することで、各サイネージ装置１０，１０，‥‥が設置されている売場毎の情報を取得することができる。
【００８７】
以上詳述した如く本実施形態によれば、コンテンツ再生に対する周囲の反応の判断材料となる情報を取得することが可能となる。
【００８８】
また上記実施形態では、それまで来店客がいない状態から人感センサＰＥの検出出力により来店客ありと判断した時点で、それまで再生していたコンテンツの内容を停止し、あらたに先頭に位置するコンテンツから戻って再生を開始させるものとしたので、各コンテンツデータの順序を工夫することで、より効果的に広告等のコンテンツを提供できる。
【００８９】
さらに上記実施形態では、個々の商品等を紹介する複数のコンテンツを用意し、それらを選択するための操作手段を設けて、操作を受付けると直ちにその選択されたコンテンツを再生するようにしたため、来店客が興味を持った商品等を積極的にアピールできる。
【００９０】
また上記実施形態は、来店客の外見上の特徴、例えば顔認識処理等を用いた年齢層と性別などの属性情報を取得し、取得した属性情報をログデータとして記憶するものとしたので、より詳細で後の分析に有効となる情報を併せて記憶させることができる。
【００９１】
なお上記実施形態では、サイネージ装置１０，１０，‥‥とコンテンツ配信サーバＳＶによるシステムにより、実際の集計動作はコンテンツ配信サーバＳＶ側で行なうものとして説明したが、サイネージ装置１０単体でデータの記録及び集計処理を行ない、それらの結果を必要に応じて外部に出力できるような装置も同様に考えられる。
【００９２】
また上記実施形態では、各サイネージ装置１０，１０，‥‥としてＤＬＰ（登録商標）（Ｄｉｇｉｔａｌ  Ｌｉｇｈｔ  Ｐｒｏｃｅｓｓｉｎｇ）方式のプロジェクタ技術を用いた投影装置について説明したが、本発明は映像を出力する手段としてのプロジェクタ方式を限定するものではなく、さらにはバックライト付きのカラー液晶パネルなどのフラットディスプレイパネルを用いる装置でも同様に適用可能となる。
【００９３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００９４】
以下に、本願出願の当初の特許請求の範囲に記載された発明を付記する。  
［請求項１］  
所定の範囲における人物の進入に基づいてコンテンツを開始する再生手段と、  
上記再生手段によって開始されたコンテンツを視聴する人物の有無を検出する検出手段と、  
上記再生手段によるコンテンツ再生時間と上記検出手段で検出した人物の有無を示す時間との割合に基づいてコンテンツを評価する評価手段と  
を備えることを特徴とするコンテンツ再生装置。  
［請求項２］  
上記再生手段によるコンテンツ再生時間と上記検出手段で検出した人物の有無を示す時間とを関連付けて記録する記録手段をさらに備え、  
上記評価手段は、上記記録されたコンテンツ再生時間と人物の有無を示す時間に基づいてコンテンツを評価する  
ことを特徴とする請求項１記載のコンテンツ再生装置。  
［請求項３］  
上記検出手段により人物有りと検出した時点で上記再生手段によりコンテンツをその先頭から再生させる第１の再生制御手段をさらに備えることを特徴とする請求項１または２記載のコンテンツ再生装置。  
［請求項４］  
上記再生手段は、複数のコンテンツを連続して再生し、  
上記複数のコンテンツから１つを選択するための操作手段と、  
上記操作手段での操作結果に基づき、選択されたコンテンツを上記再生手段により再生させる第２の再生制御手段とをさらに備え、  
上記評価手段は、上記複数のコンテンツ毎の再生時間と上記操作手段での操作結果とに基づいて前記コンテンツを評価する  
ことを特徴とする請求項１または２記載のコンテンツ再生装置。  
［請求項５］  
上記検出手段で人物有りと検出した場合に当該人物の外見から属性情報を取得する属性取得手段をさらに備え、  
上記評価手段は、上記属性取得手段で所得した属性情報を合わせてコンテンツを評価する  
ことを特徴とする請求項１乃至４いずれか記載のコンテンツ再生装置。  
［請求項６］  
所定の範囲における人物の進入に基づいてコンテンツを開始する再生部を備えた再生装置と、上記再生装置を統括制御するサーバ装置とを含むコンテンツ再生システムであって、  
上記再生部によって開始されたコンテンツを視聴する人物の有無を検出する検出手段と、  
上記再生部によるコンテンツ再生時間と上記検出手段で検出した人物の有無を示す時間との割合に基づいてコンテンツを評価する評価手段と  
を備えることを特徴とするコンテンツ再生システム。  
［請求項７］  
所定の範囲における人物の進入に基づいてコンテンツを開始する再生部を備えた装置によるコンテンツ再生方法であって、  
上記再生部によって開始されたコンテンツを視聴する人物の有無を検出する検出工程と、  
上記再生部によるコンテンツ再生時間と上記検出工程で検出した人物の有無を示す時間との割合に基づいてコンテンツを評価する評価工程と  
を有することを特徴とするコンテンツ再生方法。  
［請求項８］  
所定の範囲における人物の進入に基づいてコンテンツを開始する再生部を備えた装置が内蔵するコンピュータが実行するプログラムであって、上記コンピュータを、  
上記再生部によって開始されたコンテンツを視聴する人物の有無を検出する検出手段、及び  
上記再生部によるコンテンツ再生時間と上記検出手段で検出した人物の有無を示す時間との割合に基づいてコンテンツを評価する評価手段  
として機能させることを特徴とするプログラム。
【符号の説明】
【００９５】
１０…サイネージ装置、
１０Ａ…装置筐体、
２０…コンテンツメモリ、
２０Ａ…ログ記憶部、
２１…投影画像駆動部、
２２…マイクロミラー素子、
２３…光源部、
２４…ミラー、
２５…投影レンズ部、
２７…撮影レンズ部、
２８…ＣＭＯＳイメージセンサ、
２９…Ａ／Ｄ変換器、
３０…撮影画像処理部、
３２…ＣＰＵ、
３３…メインメモリ、
３４…プログラムメモリ、
３５…操作部、
３６…音処理部、
３７…スピーカ部、
３８…無線ＬＡＮインタフェース（Ｉ／Ｆ）、
３９…無線ＬＡＮアンテナ、
Ｂ１〜Ｂ４…操作ボタン、
ＢＳ…システムバス、
ＩＭ…撮像部、
ＰＥ…人感センサ、
ＳＢ…サイネージボード、
ＳＶ…コンテンツ配信サーバ。
【図１】
2016200779.tif 000003
【図２】
2016200779.tif 000004
【図３】
2016200779.tif 000005
【図４】
2016200779.tif 000006
【図５】
2016200779.tif 000007
【図６】
2016200779.tif 000008
【図７】
2016200779.tif 000009
【図８】
2016200779.tif 000010
【図９】
2016200779.tif 000011